(57)【要約】      （修正有）【課題】使用時及び収納時に利便性有する回転式ピンチホルダーを提供する。【解決手段】複数種のピンチ８を区別して保持し、それぞれのピンチの向きを同一方向に統一させ、使用時にはピンチ保持部５を翼のごとく広げられ、収納時には保持板２を回転させてピンチ保持部５を下方に閉じられるようにした。【選択図】図７
2014054504.tif 000002
【特許請求の範囲】
【請求項１】
上部につり下げ機能を有する支軸の下方に、回転自在に取り付けられた表裏同構造の保持板に、一部にストッパーを有する一対の軸受けを設け、線材で形成されたピンチ保持部を、上記軸受けを介し回転自在に設けたことを特徴とする回転式ピンチホルダー。
【請求項２】
ピンチ保持部をサークル状にしたことを特徴とする請求項１の回転式ピンチホルダー。
【請求項３】
ピンチホルダーを棒状にしたことを特徴とする請求項１の回転式ピンチホルダー。
【請求項４】
ピンチ保持部に移動可能なピンチストッパーを設けたことを特徴とする請求項１、請求項２、請求項３の回転式ピンチホルダー。
【請求項５】
支軸の下端部に下端つり下げ部を設けたことを特徴とする請求項１、請求項２、請求項３、請求項４の回転式ピンチホルダー。
【発明の詳細な説明】
【技術分野】
【０００１】  本発明は、多種類のピンチを種類別に分類し、使用時には、翼状のピンチ保持部（以後、ピンチ保持部と称する）を広げ、物干し作業の際すぐ手許にピンチ類を吊り下げて能率的な作業が出来るようにし、不使用時にはピンチ保持部を回転させ、翼を畳んだ状態にして、省スペースで吊り下げて収納可能にした、回転式ピンチホルダーに関するものである。
【背景技術】
【０００２】  現在、複数種の極めて多くのピンチが市販されているが、その収納に関しては殆どがバスケット状の容器に無造作に入れられている事が多く、複数種のピンチが混ざり合い、ピンチの方向がそれぞれバラバラで方向が定まらなかった。
バスケット状の容器がかさばり、収納時にじゃまになっていた。
作業中に置かれたバスケット状容器を倒したり、蹴飛ばしたりしてしまう事があった。
【発明の概要】
【発明が解決しようとする課題】
【０００３】    そのために、つぎのような問題点があった。
（イ）バスケット状容器からピンチを取り出す際に、複数種のピンチが上下左右バラバラに混ざり合っているので、種類と方向を確認して取り出さなければならず、大変めんどうであった。
（ロ）種類別に収納するには、複数のバスケットが必要だった。
（ハ）バスケットの幅がかなりあり、収納時にがさ張りじゃまになった。
（ニ）棚や台や床に置かれたバスケットを倒したり蹴飛ばしたりして、ピンチを散乱させてしまう事があった。
本発明は以上の問題点を解決しようとするものである。
【課題を解決するための手段】
【０００４】  物干し竿等から吊り下げられる支軸の下方に、回転自在に取り付けられた保持板に左右一対の軸受けを設け、さらにその軸受けのそれぞれの片側にストッパーを設け、表裏同等の構造とする。
線材で形成された円形、楕円形、方形、その他任意の形状のピンチ保持部を、その軸受けを介して、限定された範囲で回転運動をするよう保持板に取り付ける。
以上のように、左右に張り出した翼状のピンチ保持部に、異なる種類のピンチを区別して保持することが出来、使用する時は，ピンチ保持部に設けられたストッパーにより、ピンチ保持部が略水平に固定され、不使用時及び収納する際は、左右のピンチ保持部を同時に約１８０度回転させれば、ストッパーが解除されピンチ保持部が重力の作用で下垂して省スペースに収納可能となる、回転式ピンチホルダーである。
【発明の効果】
【０００５】  本発明は、線状体で形成されたピンチホルダーが翼状に左右に広がり、それぞれのホルダーに異なるピンチを保持できるので、ピンチの区別ができる。
ピンチの挟着部には空間が有り、ピンチホルダーに保持した際にピンチが自由に回転するため、全てのピンチが重力の作用で同一方向に統一して保持される。
翼状のピンチホルダーが回転する為、収納時には翼を畳んで省スペースでじゃまにならず、衣類等と同じポールに吊り下げて収納できる。
使用時及び収納時、常時竿などに吊り下げられているので、バスケットのように倒したり蹴飛ばしたりして、ピンチを散乱させることが無くなる。
下端つり下げ部に追加ピンチホルダーや他の回転式ピンチホルダーを吊り下げて利用すれば、更に多種のピンチを保持することができる。
以上の効果から、物干し作業が大変能率的になり、ピンチの使用時及び収納時に、負担を大きく削減することが出来る。
【図面の簡単な説明】
【０００６】
【図１】  本発明の使用時の基本形を示す斜視図
【図２】  本発明の収納時の基本形を示す斜視図
【図３】  本発明の使用状態の使用例を示す斜視図
【図４】  本発明の収納時の使用状態を示す斜視図
【図５】  本発明にピンチストッパーを設けた使用状態を示す斜視図
【図６】  本発明の追加ピンチホルダーの斜視図
【図７】  本発明の基本形に、ピンチストッパー及び追加ピンチホルダーを用いた使用例を示す斜視図
【発明を実施するための形態】
【０００７】以下、本発明の実施の形態について説明する。
（イ）物干し竿、鴨居、各種フックその他に吊り下げられる支軸（１）を設ける。
（ロ）ピンチ保持部（５）の末端を保持する一対の軸受け（４）及び軸受けの一方にピンチ保持部（５）の下垂を防ぐストッパー（３）を設けた表裏同構造の保持板（２）を支軸（１）の下方に回転自在に設ける。
（ハ）支軸（１）に回転自在に設けられた保持板（２）の軸受け（４）にピンチ保持部の末端部を差し込んで、左右同等に回転自在に設ける。
本発明は以上のような構成で、これを使用する時は支軸（１）を物干し竿等に吊るし、左右のピンチ保持部（５）を持ち保持板（２）を回転させると、ピンチ保持部（５）がストッパー（３）により、翼を広げた状態で保持される。
左右に翼状に広げたピンチ保持部に、それぞれ異なる種類のピンチ保持する事が出来、更にピンチ（８）の挟着部の空間によりピンチ（８）が自由に回転することから、重力の作用で全てのピンチのつまみ部が下方に位置し、同一方向に統一することが出来る。
収納時には再びピンチ保持部（５）を持ち回転させれば、保持板（２）のストッパーが解除され、ピンチ（８）を保持したままピンチ保持部（５）が下垂して翼を閉じた状態となり、省スペースで収納できる。
【実施例】
【実施例１】
【０００８】  図１で示すように、支軸（１）の中間部に回転部（６）を設ければ、本発明の回転式ピンチホルダー全体が回転可能となり使いやすくなる。
【実施例２】
【０００９】  図５で示すように、ピンチ保持部（５）に一対の移動可能なピンチストッパー（９）を設ければ、ピンチ保持部（５）の回転時にピンチ（８）が滑動して保持板（２）の付近まで来て回転を阻害することが防げる。
また、このピンチストッパー（９）は移動可能に設けられているため、ピンチ（８）の量により最適な位置に移動させる事が出来る。
【実施例３】
【００１０】  図６で示すように、追加ピンチホルダー（１０）を設け、図１の下端吊り下げ部（７）に吊り下げれば、更に種類の異なるピンチを保持することが出来る。
【実施例４】
【００１１】  更に場合によっては、下端吊り下げ部（７）を利用して、他の回転式ピンチホルダーを吊り下げて、複数で使用することも考えられる。
【符号の説明】
【００１２】  １  支軸
２  保持板
３  ストッパー
４  軸受け
５  ピンチ保持部
６  回転部
７  下端つり下げ部
８  ピンチ
９  ピンチストッパー
１０  追加ピンチホルダー
【図１】
2014054504.tif 000003
【図２】
2014054504.tif 000004
【図３】
2014054504.tif 000005
【図４】
2014054504.tif 000006
【図５】
2014054504.tif 000007
【図６】
2014054504.tif 000008
【図７】
2014054504.tif 000009